(57)【特許請求の範囲】
【請求項１】
屋根軒先の下方に軒樋が配設されてなる軒先の水切り構造であって、軒樋本体の屋内側に延設される後耳部に後付け可能とされ、該水切り構造は略直立した上部水切り片と側面視逆Ｌ字形の下部水切り片とからなり、該逆Ｌ字形の下部水切り片は上部水切り片の脚部と下方に開口する凹部を形成するように一体成形され、上記凹部が上記軒樋の後耳部に外嵌し、上記逆Ｌ字形の下部水切り片の垂下部は軒先側に垂下し上記略直立した上部水切り片と共に水切り構造を形成する軒先水切り構造。
【請求項２】
上記略直立した上部水切り片の脚部を適宜な間隔で切り欠き、係合片が設けられた請求項１に記載の軒先水切り構造。
【請求項３】
上記側面視逆Ｌ字形の下部水切り片の垂下部下端を曲折して略水平に屋内側に延設し、遮蔽部が形成された請求項１に記載の軒先水切り構造。
【請求項４】
上記上部水切り片と側面視逆Ｌ字形の下部水切り片とが弾性を有する合成樹脂から一体的に成形されてなる請求項１に記載の軒先水切り構造。
【発明の詳細な説明】
【技術分野】
【０００１】
本願発明は、軒樋に取り付けられ、強風等、横殴りの雨や、軒樋から跳ね返った雨水が軒先の裏側へ浸入し、鼻板等が損傷することを防止するための軒先水切り構造に関するものである。
【背景技術】
【０００２】
建物の屋根に降った雨水は、軒先に取り付けられた軒樋に流れて、集水ます等を経て竪樋等の排水経路を経て排出される。通常、屋根の先端部から落下する雨水は、軒樋に流れ込み、上記のようにして排水されるが、大雨の際等、水勢が強いときや横殴りの風がある場合、軒樋から跳ね返り、あるいは溢れた雨水は鼻板側に回り込み、鼻板を損傷させ、また駆体の一部である軒先を腐食させる等の原因となる。
【０００３】
上記した問題を解決するため、特開平１０−１４８０１７号公報には、屋根軒先の下方に軒樋が配設されてなる建物の軒先水切り構造であって、上記軒先の軒先瓦の裏側の屋根下地材の上面に設けられた広小舞いより、水切り材が軒樋内に垂設されていることを特徴とする軒先水切り構造が提案されている。
【０００４】
また、特開２００７−１８６８７２号公報には、野地板と屋根部材との間に挟着され、斜め下方に延出する長尺の水切り部材と、鼻板に固定された軒樋支持具と、上記水切り部材と軒樋支持具との間に架設される雨水カバー部材とからなり、上記水切り部材の先端部はＶ字型に鼻板側に折り曲げられて上記雨水カバー部材の上端部が係止する係止部とされ、上記雨水カバー部材の下端部は上記軒樋支持具の軒樋を吊持する支持桿上面に設けられた係合爪部と係合する係合片とされた軒先の雨仕舞の構造が開示されている。
【０００５】
すなわち、本願図６に示すように、上記特開２００７−１８６８７２号公報記載の軒先の雨仕舞の構造Ｄは、野地板５ａと屋根部材６ａとの間に挟着され、斜め下方に延出する長尺の水切り部材２ａと、鼻板７ａに固定された軒樋支持具３ａと長尺の雨水カバー部材１ａとからなるとともに、上記水切り部材２ａの先端はＶ字型に鼻板７ａ側に折り曲げられ、上記雨水カバー部材１ａの上端部１１ａが係止する係止部２１ａとされている。また、軒樋４ａは軒樋支持具３ａによって吊り下げ支持される。
【０００６】
そして、雨水カバー部材１ａの上端部１１ａは上記水切り部材２ａの先端の係止部２１ａのＶ字溝に内嵌するように、該係止部２１ａと略同様にＶ字型に延設され、かつ、雨水カバー部材１ａ自身が弾性材料から形成されているため、しっかりと弾性係止され、さらに上記係止部２１ａと雨水カバー部材１ａの上端部１１ａとの重なり合う部分はリベット８ａ等の固定手段で適当な間隔で固定され、雨水カバー部材１ａは、しっかりと水切り部材２ａの先端に取り付けられると記載されている。
【０００７】
また、図６に示すように、軒樋支持具３ａの支持桿３１ａには係合爪部３２ａが設けられ、この係合爪部３２ａに雨水カバー部材１ａの下端部が係合片１２ａとしてしっかりと弾性係合し、上記のようにすることによって、暴風雨の際に横殴りの雨や軒樋からの跳ね返り水が鼻板７ａの全面に降りかかることを防ぐと、その効果が述べられている。
【特許文献１】特開平１０−１４８０１７号公報
【特許文献２】特開２００７−１８６８７２号公報
【発明の開示】
【発明が解決しようとする課題】
【０００８】
しかしながら、上記特許文献１、特許文献２いずれの技術も予め、水切り部材の施工は屋根業者が担当し、軒樋工事は樋工事専門業者が施工するため、雨水の軒樋の流下位置の調整等が十分に行われるとはいい難い。また、施工時に上記諸工事を行わなければならず、施工後に水切り部材を取り付けるには、かなりの手間とコストがかかるという問題がある。本発明は、上記背景技術に鑑みてなされたものであり、その目的は、後付けを簡単に行うことができるとともに、暴風雨の際の横殴りの雨や軒樋からの跳ね返り水が鼻板側に回り込んで鼻板等の損傷を防止し、駆体の一部である軒先を腐食から防ぐことのできる軒先水切り構造を提供することである。
【課題を解決するための手段】
【０００９】
上記課題を解決するために、本願請求項１記載の発明に係る軒先水切り構造は、屋根軒先の下方に軒樋が配設されてなる軒先の水切り構造であって、軒樋本体の屋内側に延設される後耳部に後付け可能とされ、該水切り構造は略直立した上部水切り片と側面視逆Ｌ字形の下部水切り片とからなり、該逆Ｌ字形の下部水切り片は上部水切り片の脚部と下方に開口する凹部を形成するように一体成形され、上記凹部が上記軒樋の後耳部に外嵌し、上記逆Ｌ字形の下部水切り片の垂下部は軒先側に垂下し上記略直立した上部水切り片と共に水切り構造を形成することを特徴としている。
【００１０】
本願請求項２記載の発明は、上記請求項１記載の軒先水切り構造において、上記略直立した上部水切り片の脚部を適宜な間隔で切り欠き、係合片が設けられたことを特徴としている。
【００１１】
本願請求項３記載の発明は、上記請求項１記載の軒先水切り構造において、上記側面視逆Ｌ字形の下部水切り片の垂下部下端を曲折して略水平に屋内側に延設し、遮蔽部が形成されたことを特徴としている。
【００１２】
本願請求項４記載の発明は、上記請求項１記載の軒先水切り構造において、上記上部水切り片と側面視逆Ｌ字形の下部水切り片とが弾性を有する合成樹脂から一体的に成形されてなることを特徴としている。弾性を有する合成樹脂としては、ＰＣ（ポリカーボネート）樹脂、硬質塩化ビニル樹脂、ＡＢＳ樹脂、ポリエステル樹脂、あるいはポリフェニレンサルファイド樹脂、ポリエーテルケトン樹脂、ポリエーテルエーテルケトン樹脂、ポリスルフォン樹脂などのエンジニアリング樹脂を使用することができる。
【発明の効果】
【００１３】
本願請求項１記載の発明に係る軒先水切り構造においては、略直立した上部水切り片の脚部と側面視逆Ｌ字形の下部水切り片とが略中央で下方に開口する凹部を形成するように一体成形され、この凹部が軒樋本体の屋内側に延設される後耳部に外嵌する嵌合凹部として機能し、後付けできるため、施工後、軒樋の軒樋支持具と軒樋支持具との間の長尺の軒樋の後耳部に簡単に作業性よく水切り構造を後付けすることができるとともに、鼻板や軒先に水が回ることを防止できる。
【００１４】
本願請求項２記載の発明に係る軒先水切り構造においては、特に、上記略直立した上部水切り片の脚部を適宜な間隔で切り欠き、係合片されているため、適宜な間隔で設けられた係合片を上記後耳部に係合させ、あたかも軒樋の背壁に掛止するように、簡単に作業性よく軒先水切り構造を後付けすることができる。また、着脱自在であるため、軒樋にゴミや落ち葉等が堆積したとき等は、簡単に取り外して掃除をすることができる。
【００１５】
本願請求項３記載の発明に係る軒先水切り構造においては、特に、上記側面視逆Ｌ字形の下部水切り片の垂下部下端を屋内側に折曲して略水平に延設し、遮蔽部としているため、上記遮蔽部が下からの視線を遮蔽し、鼻板に取り付けられた軒樋支持具の取付け部等見苦しい部分を下方から見えなくするため、デザイン性よく、軒先水切り構造を取付けることができる
本願請求項４記載の発明に係る軒先水切り構造においては、特に、上記上部水切り片と側面視逆Ｌ字形の下部水切り片とが弾性を有する合成樹脂から一体的に成形されてなるため、後耳部に外嵌する凹部が嵌合凹部としてしっかりと弾性的に嵌合し、多少の風等で該軒先水切り構造が外れることを防止できる。
【発明を実施するための最良の形態】
【００１６】
図１は、本願発明の第１実施形態にかかる軒先水切り構造Ａと軒樋Ｂとを示す部分断面斜視図である。図１に示すように、上記軒先水切り構造Ａは、略直立した上部水切り片１と側面視逆Ｌ字形の下部水切り片２とから構成されている。図１に示すように、上部水切り片１は水切り片本体１１と脚部１２とからなり、側面視逆Ｌ字形の下部水切り片２は、水切り片本体１の脚部１２に取り付けられる取付部２１と垂下部２２からなるとともに、上記脚部１２と取付部２１と垂下部２２とから下方に開口する凹部３が形成される。
【００１７】
一方、軒樋Ｂは軒樋本体４と軒樋本体４の屋外側に延設される前耳部４１と軒樋本体４の屋内側に延設される後耳部４２とからなり、上記前耳部４１と後耳部４２とは図外軒樋支持具によって吊り下げ支持される。そして、軒樋Ｂの後耳部４２に上記凹部３が外から嵌合することによって本願発明の軒先水切り構造Ａが形成される。軒樋Ｂとしては弾性を有する合成樹脂からなるものが用いられ、硬質塩化ビニル樹脂、ポリカーボネート樹脂、ＡＢＳ樹脂などが用いられる。通常、コスト性、成形性等の観点から、硬質塩化ビニル樹脂が用いられる
図２は、上記本願発明の第１実施形態にかかる軒先水切り構造Ａを軒樋Ｂに組み付けた状態を示す側面図である。図２に示す軒樋Ｂは予め施工された状態であり、該軒樋Ｂの後耳部４２に上記凹部３を外嵌する。上記軒樋Ｂを弾性を有する合成樹脂から形成し、また軒先水切り構造Ａも弾性を有する合成樹脂から形成することにより、相互にしっかりと弾性的に嵌合させることができる。
【００１８】
図３は、本願発明の第１実施形態にかかる軒先水切り構造Ａを鼻板５を介して軒先６に施工した状態を示す説明図である。図３に示すように、点線で示す軒樋支持具Ｃは図外固着手段で鼻板５にしっかりと固定され、軒樋Ｂは、上記軒樋支持具Ｃによって吊り下げ支持される。長尺の軒先水切り構造Ａは、軒樋支持具Ｃと軒樋支持具Ｃとの間の軒樋Ｂの後耳部４２に外嵌されるが、後付けすることが可能であるため、軒樋支持具Ｃどうし間の上方に位置する屋根７の先端から落下して軒樋Ｂの背板部を越える跳ね返り水や、暴風雨の際の横殴りの雨が軒樋Ｂから鼻板５側に回り込んで鼻板５や軒先６等が傷むことを防止できる。
【００１９】
図４は、上部水切り片１の脚部１２に係合片１３を設け、この係合片１３を軒樋Ｂの後耳部４２に係合する本発明第の第２実施形態にかかる軒先水切り構造Ａと軒樋Ｂとを示す部分断面斜視図である。第２実施形態においては上記脚部１２は部分的に切り欠かれ、残された部分が係合片１３とされている。図４に示すように、適宜な間隔で設けられた係合片１３を軒樋支持具Ｃと軒樋支持具Ｃとの間に吊り下げ支持された長尺の軒樋Ｂの後耳部４２に掛止することにより、簡単に作業性よく軒先水切り構造Ａを後付けすることができる。
【００２０】
図５は、下部水切り片２の垂下部２２の下端を屋内側に折曲して水平に延設し、遮蔽部２３を設けた本願発明の第３実施形態にかかる軒先水切り構造Ａを示す部分断面側面図である。図５は、上記第３実施形態の軒先水切り構造Ａを軒先６に施工した状態を示すが、図５に示すように上記遮蔽部２３が下からの視線を遮蔽することにより、鼻板５に取り付けられた軒樋支持具Ｃの取付け部等、見苦しい部分が下方から見えなくなるため、見映えよく、軒先水切り構造Ａを取付けることができる。
【００２１】
以上述べたように、本発明の軒先水切り構造は軒樋工事の完了後、後から簡単に施工することができるため、暴風雨の際の横殴りの雨や軒樋からの跳ね返り水が鼻板側に回り込んで鼻板等が損傷することを後付けによって簡単に防止し、駆体の一部である軒先を腐食から防ぐ等の効果をあげることができる。
【図面の簡単な説明】
【００２２】
【図１】本願発明の第１実施形態にかかる軒先水切り構造と軒樋とを示す部分断面斜視図。
【図２】本願発明の第１実施形態にかかる軒先水切り構造を軒樋に組み付けた状態を示す側面図。
【図３】本願発明の第１実施形態にかかる軒先水切り構造を軒先に施工した状態を示す説明図。
【図４】本願発明の第２実施形態にかかる軒先水切り構造と軒樋とを示す部分断面斜視図。
【図５】本願発明の第３実施形態にかかる軒先水切り構造を軒先に施工した状態を示す部分断面側面図。
【図６】公知の雨仕舞の構造を示す説明図。
【符号の説明】
【００２３】
Ａ      本願発明にかかる軒先水切り構造
Ｂ      軒樋
Ｃ      軒樋支持具
１      上部水切り片
１１    水切り片本体
１２    脚部
１３    係合片
２      下部水切り片
２１    取付部
２２    垂下部
２３    遮蔽部
３      凹部
４      軒樋本体
４１    前耳部
４２    後耳部
５      鼻板
６      軒先
７      屋根
Ｄ      公知の雨仕舞の構造
１ａ    雨水カバー部材
１１ａ  上端部
１２ａ  係合片
２ａ    水切り部材
２１ａ  係止部
３ａ    軒樋支持具
３１ａ  支持桿
３２ａ  係合爪部
４ａ    軒樋
５ａ    野地板
６ａ    屋根部材
７ａ    鼻板
８ａ    リベット
【図１】
0004894710.tif 000002
【図２】
0004894710.tif 000003
【図３】
0004894710.tif 000004
【図４】
0004894710.tif 000005
【図５】
0004894710.tif 000006
【図６】
0004894710.tif 000007